(57)【特許請求の範囲】
【請求項１】
折板屋根上に配置された採光屋根の枠構造であって、
折板屋根材を保持するための第１のタイトフレーム上に配置された第１の横枠と、
折板屋根材を保持するための第２のタイトフレーム上に配置された第２の横枠と、
前記第１及び第２の横枠上に配置された第１の縦枠と、
前記第１及び第２の横枠上に配置された第２の縦枠と、を有し、
前記第１及び第２の横枠と、前記第１及び第２の縦枠によって、採光屋根の四周枠を形成する、ことを特徴とする採光屋根の枠構造。
【請求項２】
更に、前記第１の横枠と前記第２の横枠との間であって、タイトフレームが存在しない箇所に配置され、前記第１及び第２の縦枠と接続された補助横枠を有する、請求項１に記載の採光屋根の枠構造。
【請求項３】
前記補助横枠は、前記第１又は第２のタイトフレームと接続された折板屋根材と接続される、請求項２に記載の採光屋根の枠構造。
【発明の詳細な説明】
【技術分野】
【０００１】
本発明は、採光屋根の枠構造に関し、特に、屋根の採光用開口部に中空合成樹脂板を張設してなる採光屋根の枠構造に関する。
【背景技術】
【０００２】
金属製の折板屋根に採光性を持たせるために、その一部に一定幅の採光用開口部を設けて、開口部にポリカーボネイト樹脂やアクリル樹脂等の透明樹脂からなる採光板を張設することにより採光屋根を構成することが知られている。
【０００３】
また、金属製の折板屋根に採光性を持たせるために、その一部に一定幅の採光用開口部を設けて、開口部に、金属製の折板屋根の長手方向に沿って複数の中空合成樹脂板を組み合わせて張設することにより採光屋根を構成することが知られている（例えば、特許文献１参照）。
【先行技術文献】
【特許文献】
【０００４】
【特許文献１】特開２００６−２４１８０４号公報
【発明の概要】
【発明が解決しようとする課題】
【０００５】
しかしながら、従来技術には、採光屋根の四周枠を構成する枠構造をどのように折板屋根の上に配置するかという具体的な構成は示されてはいなかった。
【０００６】
そこで、本発明は、折板屋根の上に簡易且つ強固に固定可能な、採光屋根の四周枠を構成する枠構造を提供することを目的とする。
【課題を解決するための手段】
【０００７】
上記課題を解決するために、本発明に係る枠構造は、折板屋根材を保持するための第１のタイトフレーム上に配置された第１の横枠と、折板屋根材を保持するための第２のタイトフレーム上に配置された第２の横枠と、第１及び第２の横枠上に配置された第１の縦枠と、第１及び第２の横枠上に配置された第２の縦枠を有し、第１及び第２の横枠と、第１及び第２の縦枠によって、採光屋根の四周枠を形成することを特徴とする。
【０００８】
また、本発明に係る枠構造では、第１の横枠と第２の横枠との間であって、タイトフレームが存在しない箇所に配置され、第１及び第２の縦枠と接続された補助横枠を有することが好ましい。
【０００９】
さらに、本発明に係る枠構造では、補助横枠は、第１又は第２のタイトフレームと接続された折板屋根材と接続されることが好ましい。
【発明の効果】
【００１０】
本発明によれば、折板屋根材を固定するタイトフレームを利用しているので、簡易且つ強固に、折板屋根の上に採光屋根を固定することが可能となった。
【図面の簡単な説明】
【００１１】
【図１】本発明に係る枠構造を有する採光屋根の外観の一例を示す図である。
【図２】図１のＡＡ´断面図である。
【図３】（ａ）は採光屋根１０における連結構造５の分解斜視図であり、（ｂ）は（ａ）に対応した部分断面図である。
【図４】採光屋根の組み立て手順を説明するための図（１）。
【図５】採光屋根の組み立て手順を説明するための図（２）。
【図６】採光屋根の組み立て手順を説明するための図（３）。
【図７】（ａ）は採光屋根の組み立て手順を説明するための図（４）であり、（ｂ）は（ａ）に対応した部分断面図である。
【図８】採光屋根の組み立て手順を説明するための図（５）。
【図９】採光屋根の組み立て手順を説明するための図（６）。
【図１０】採光屋根の組み立て手順を説明するための図（７）。
【図１１】採光屋根の組み立て手順を説明するための図（８）。
【図１２】採光屋根の組み立て手順を説明するための図（９）。
【図１３】（ａ）は採光屋根の組み立て手順を説明するための図（１０）であり、（ｂ）は（ａ）に対応した部分断面図である。
【図１４】採光屋根の組み立て手順を説明するための図（１１）。
【発明を実施するための形態】
【００１２】
以下、本発明に係る採光屋根の枠構造を図面を参照しながら説明する。但し、本発明は以下の説明に限定されず、特許請求の範囲に記載された発明とその均等物に及ぶ点に留意されたい。
【００１３】
図１は、本発明に係る枠構造を有する採光屋根の外観の一例を示す図である。
【００１４】
図１に示す様に、採光屋根１０が、屋根構造のもや２及び３上に固定された金属製の折板屋根１上に配置されている。なお、図中右上側が水上側であり、図中左下側が水下側である。金属製の折板屋根１は、水上側にある屋根の頂上部から水下側に所定の角度を持って傾斜するように配置されている。
【００１５】
図２は、図１のＡＡ´断面図である。
【００１６】
図２に示す様に、中空合成樹脂板８０及び８１は、中央部の連結構造５（図３参照）で、押し縁２８と、断面コの字状のボルト受け２６とがボルト９０で結合されることによって連結されている。また、中空合成樹脂板８０及び８１の端部は、コーナーサポート９２によって保護されている。コーナーサポート９２及び側面板４１は第１縦材１５に固定され、コーナーサポート９２及び側面板４０は第２縦材１６に固定されている。コーナーサポート９２の外側には、サイドカバー４３及び４４（図１４参照）が配置され、側面を覆う構成となっている。
【００１７】
図３（ａ）は採光屋根１０における連結構造５の分解斜視図であり、図３（ｂ）は図３（ａ）に対応した部分断面図である。
【００１８】
図３（ａ）及び図３（ｂ）に示される様に、押し縁２８とボルト受け２６との間に、第１の中空合成樹脂板８０及び第２の中空合成樹脂板８１が挟み込まれるように配置され、ボルト９０と、ボルト受け２６の上側に配置される第１ナット９１−１及び押し縁２８の上側に配置される第２ナット９１−２によって、押し縁２８とボルト受け２６とが固定されている。また、押し縁２８と第１の中空合成樹脂板８０及び第２の中空合成樹脂板８１との間にはパッキン１００が配置され、第１の中空合成樹脂板８０及び第２の中空合成樹脂板８１と、ボルト受け２６のフランジ部との間には、パッキン１０２が配置されている。
【００１９】
なお、ボルト受け２６は、後述する３つのボルト受け支持部材２０〜２２によって、第１横枠１２、第３横枠１３及び第２横枠１４に固定されているが、図３には、ボルト受け支持部材２０〜２２を示していない。なお、ボルト受け支持部材の個数は特に限定されることはなく、強度等を勘案し適宜使用すればよい。
【００２０】
このように、採光屋根１０では、第１の中空合成樹脂板８０及び第２の中空合成樹脂板８１の下方には、第１の中空合成樹脂板８０及び第２の中空合成樹脂板８１を連結させる役目を果たすボルト受け２６が配置されている。
【００２１】
以下、採光屋根１０の組み立て手順について図４〜図１４を用いて説明を行う。
【００２２】
図４は、採光屋根の組み立て手順を説明するための第１の説明図であり、金属製の折板屋根１の一部を取り外して開口部９を構成した状態を示している。
【００２３】
金属性の折板屋根１は、屋根構造のもや２及び３上に固定された第１タイトフレーム６及び第２タイトフレーム７にビス等で固定されている。第１及び第２タイトフレーム６及び７は、金属性の折板屋根１の凹凸形状に合致する凹凸形状を有している。また、図１、４及び５では、金属性の折板屋根１は、１枚の板で構成されているが、実際には複数の板を組み合わせた構成となっている。
【００２４】
図５は、採光屋根の組み立て手順を説明するための第２の説明図であり、金属製の折板屋根１の開口部９上に、枠構造８を配置した状況を示している。
【００２５】
枠構造８は、屋根構造の水下側に配置された第１横枠１２及び水上側に配置された第２横枠１４と、それらの上に配置された第１縦枠１５及び第２縦枠１６と、第１横枠１２及び第２横枠１４の中間部に配置された第３横枠１３、第１横枠１２の更に水下側に配置されたカバー止め用横枠１１等から構成される。カバー止め用横枠１１、第１横枠１２、第３横枠１３及び第２横枠１４は、断面コの字状の鉄骨から構成され、第１縦枠１５及び第２縦枠１６は、断面Ｃの字状の鉄骨から構成されている。
【００２６】
第１横枠１２はボルト（不図示）により第１タイトフレーム６に固定され、第２横枠１４はボルト（不図示）により第２タイトフレーム７に固定され、第１縦枠１５及び第２縦枠１６はボルト（不図示）によりそれぞれ第１横枠１２及び第２横枠１４と固定されている。また、カバー止め用横枠１１はボルト（不図示）により第１縦枠１５及び第２縦枠１６に固定され、第３横枠１３はボルト（不図示）により第１縦枠１５及び第２縦枠１６に固定されている。
【００２７】
第３横枠１３は、もや２及び３の中間部分で且つもやが存在しない箇所で金属性の折板屋根１とビス（不図示）により固定されている。したがって、第３横枠１３によって、その下方の金属性の折板屋根１の強度が補強されるという作用効果がある。
【００２８】
図６は、採光屋根の組み立て手順を説明するための第３の説明図であり、ボルト受け支持部材２０〜２２を取り付けた状況を示している。
【００２９】
図６に示される様に、ボルト受け支持部材２０〜２２が、図中下側の水下側から、図中上側の水上側に順に配置される。ボルト受け支持部材２０〜２２はそれぞれ、断面コの字状の鉄骨、断面Ｃの字状の鉄骨、又は角パイプで形成され、一端を第１縦枠１５に溶接し、他端を第２縦枠１６に溶接することによって、固定される。図６では、ボルト受け支持部材２０〜２２はそれぞれ、第１横枠１２、第３横枠１３、及び第２横枠１４に近接して配置されるが、ボルト受け２６を支持することが可能ならば、適当な位置、及び個数で配置してもよい。
【００３０】
図７は、採光屋根の組み立て手順を説明するための第４の説明図であり、吹き込み防止板３０を取り付けた状況を示している。
【００３１】
図７（ａ）に示す様に、吹き込み防止板３０は、ビス３１によってカバー止め用横枠１１に取り付けられる。吹き込み防止板３０は、カバー止め用横枠１１の側面を覆うように側面側に折り曲げられている。さらに、吹き込み防止板３０は、カバー止め用横枠１１の水下側の面を覆うように水下側に折り曲げられている。図７（ｂ）は図７（ａ）におけるＣＣ´断面図である。吹き込み防止板３０は、図７（ｂ）に示されるように、カバー止め用横枠１１の水下側の面、及び第２縦材１６の水下側の端部に近接するように、配置される。
【００３２】
図８は、採光屋根の組み立て手順を説明するための第５の説明図であり、側面板４０及び４１を取り付けた状況を示している。
【００３３】
側面板４０及び４１は、第１縦枠１５及び第２縦枠１６上に貼付されたブチルテープ又はシール材（不図示）及びビス（不図示）によって、第１縦枠１５及び第２縦枠１６に固定される。なお、側面板４０及び４１は金属性の折板屋根１の凹凸形状に合うように、それらの先端部４０Ａ及び４１Ａが折り曲げられている。
【００３４】
図９は、採光屋根の組み立て手順を説明するための第６の説明図であり、第１後板５０を取り付けた状況を示している。
【００３５】
第１後板５０は、側面板４０及び４１の水上側の端部に接着材によって固定される。
【００３６】
図１０は、採光屋根の組み立て手順を説明するための第７の説明図であり、第２後板５１を取り付けた状況を示している。
【００３７】
第２後板５１は、第１縦枠１５及び第２縦枠１６上に貼付されたブチルテープ（不図示）及びビス（不図示）によって、第１縦枠１５及び第２縦枠１６に、第１後板の上側端面を覆うように固定される。第２後面５１によって、第１縦枠１５及び第２縦枠１６の水上側端部、及び縦樋２４の水上側端部が覆われる。
【００３８】
図１１は、採光屋根の組み立て手順を説明するための第８の説明図であり、ボルト受け２６を取り付けた状況を示している。
【００３９】
図１１に示す様に、ボルト受け支持部材２０〜２２の上に、ボルト受け２６が配置される。ボルト受け２６は、溶接によって、ボルト受け支持部材２０〜２２に固定される。ボルト受け２６には、ボルト９０を貫通させるための貫通孔が複数個形成される。ボルト受け２６に形成される貫通孔は、ボルト受け２６の底面の任意の場所に形成できる。しかしながら、貫通孔の配置は、ボルト受け支持部材２０〜２２の配置と重複しない方が好ましい。ボルト受け支持部材２０〜２２配置と、貫通孔の配置とが重複した場合、中空合成樹脂板８０及び８１のたわみの原因になることに加えて、ボルト受け２６をボルト受け支持部材２０〜２２に固定し難くなるためである。
【００４０】
図１２は、採光屋根の組み立て手順を説明するための第９の説明図であり、中空合成樹脂板８０及び８１を取り付けた状況を示している。
【００４１】
図１２（ａ）に示す様に、中空合成樹脂板８０及び８１をボルト受け支持部材２０〜２２、及びボルト受け２６の上にそれぞれ配置し、中空合成樹脂板８０及び８１の中央部を、押し縁２８を乗せた後、ボルト９０によって、ボルト受け２６との間に挟み込むように連結させる。また、中空合成樹脂板８０及び８１の端部は、複数のコーナーサポート９２でカバーされる。これらの処理によって、中空合成樹脂板８０及び８１は、ボルト受け２６の上に位置決めされる。
【００４２】
図１２（ｂ）は、コーナーサポート９２の立体図であり、コーナーサポート９２は、ビスによって、側板４０又は４１にそれぞれ固定される。コーナーサポート９２は、図１５（ｂ）に示す様に、側面がコの字状に形成された中空樹脂板をカバーする部分と、その部分と連続し側板に固定するためのネジ穴が形成された伸延部分を有している。
【００４３】
中空合成樹脂板８０及び８１は、透光性樹脂（ポリカーボネイト）を押し出し成形によって形成したものであって、内壁によって仕切られた複数の中空部を含んでいる。本実施例では、中空合成樹脂板８０及び８１はそれぞれ１枚の板で構成したが、複数の中空合成樹脂板を組み合わせて構成するようにしても良い。
【００４４】
図１３は、採光屋根の組み立て手順を説明するための第１０の説明図であり、水下カバー３５を取り付けた状況を示している。
【００４５】
図１３（ａ）に示す様に、水下カバー３５は中空合成樹脂板８０及び８１と押し縁２８の間に挿入するように配置され、図１２に示した吹き込み防止板３０上に配置したコの字状の固定具９５にネジ９６で固定する。これによって、中空合成樹脂板８０及び８１の水下側端部が覆われる。
【００４６】
図１３（ｂ）は、図１３（ａ）のＤＤ´断面図である。図１３（ｂ）によって、採光屋根１０の水下部が、吹き込み防止板３０、及び水下カバー３５によって２重に保護されていることが理解できる。
【００４７】
図１４は、採光屋根の組み立て手順を説明するための第１１の説明図であり、側面カバー４３及び４４、水上カバー５３を取り付けた状況を示している。
【００４８】
最初に、側面カバー４３及び４４は、中空合成樹脂板８０及び８１の側面端部を覆うように、コーナーサポート９２にビスで固定される。
【００４９】
最後に、水上カバー５３を、押し縁２８、側面カバー４３及び４４、及び中空合成樹脂板８０及び８１の水上側端部を覆うように配置して、側面カバー４３及び４４と、第２後板５２とにビス（不図示）で固定して、採光屋根１０の組み立てを終了する。
【００５０】
上記の採光屋根１０の例では、２枚の中空合成樹脂板８０及び８１（例えば、５００ｍｍ×５０００ｍｍ）を利用したが、２枚に限定されることなく、さらに多くの枚数を利用することも可能である。また、上記の採光屋根１０の例では、２枚の中空合成樹脂板８０及び８１を、金属製の折板屋根１の長手方向に平行に配置したが、これに限定されることなく、垂直方向に配置するようにしても良い。さらに、上記の採光屋根１０の例では、採光屋根１０を金属製の折板屋根１上に配置したが、他の屋根構造にも適用することが可能である。
【符号の説明】
【００５１】
１    金属製の折板屋根
２、３    もや
５    連結構造
６、７    タイトフレーム
８    枠構造
１０    採光屋根
１２    第１横枠
１３    第３横枠
１４    第２横枠
１５    第１縦枠
１６    第２縦枠
２０〜２２    ボルト受け支持部材
２６    ボルト受け
２８    押し縁
８０、８１    中空合成樹脂板
９０    ボルト
９１−１、９１−２    ナット
【図１】
0005653272.tif 000002
【図２】
0005653272.tif 000003
【図３】
0005653272.tif 000004
【図４】
0005653272.tif 000005
【図５】
0005653272.tif 000006
【図６】
0005653272.tif 000007
【図７】
0005653272.tif 000008
【図８】
0005653272.tif 000009
【図９】
0005653272.tif 000010
【図１０】
0005653272.tif 000011
【図１１】
0005653272.tif 000012
【図１２】
0005653272.tif 000013
【図１３】
0005653272.tif 000014
【図１４】
0005653272.tif 000015